(57)【特許請求の範囲】
【請求項１】
並列に置かれたデッキ材を大引き上に固定する固定金具であって、
隣設するデッキ材の間の隙間に嵌る本体部と、該本体部の両端から左右に延びて、前記隣設するデッキ材の突状縁部を押える押圧片と、前記本体部の下面両端部から下方に延びて前記大引きの上面に当接する左右一対の脚部とからなり、
前記本体部、前記押圧片および前記脚部は、一体成形部材であり、
前記脚部の下端から前記押圧片の下面までの高さは、前記デッキ材の突状縁部の高さより小さい寸法であり、
前記本体部において、前記左右一対の脚部で挟まれる位置に止めビスを挿入するビス孔が形成されており、かつ前記ビス孔の内径は、前記止めビスの外径よりも小さい
ことを特徴とするデッキ材固定金具。
【請求項２】
並列に置かれて固定されているデッキ材の固定方法であって、
任意のデッキ材を取り外したあと新しいデッキ材を元の位置に置き、
請求項１の固定金具のビス孔にビスを挿入して、
ビスを挿入した状態の固定金具を隣り合う２本のデッキ材の隙間に横から挿入し、かつ前記隙間の中をスライドさせて固定位置まで移動させ、
ついで前記ビスを大引き上にねじ込む
ことを特徴とするデッキ材固定方法。
【発明の詳細な説明】
【技術分野】
【０００１】
本発明は、デッキ材固定金具およびデッキ材固定方法に関する。さらに詳しくは、建物に付設されるデッキにおいて、デッキを構成するデッキ材を固定する固定金具と、それを用いたデッキ材固定方法に関する。
【背景技術】
【０００２】
建物の庭側などに日光浴や団らんのためのデッキがよく付設されている。ここ最近では、耐候性に優れたデッキ材として、木粉を配合した樹脂の押出成形品が利用されている。このようなデッキ100は、図７に示すように、地面に設置した短柱である束柱101で太い横材である大引き102を支持し、並列に並べられた大引き102の上に長尺の床材であるデッキ材103を交差させて並べて置き、専用の固定金具でデッキ材103を大引き102に固定する構造となっている。
【０００３】
従来のデッキ材の固定金具としては、特許文献１，２のものがある。
特許文献１の固定金具は、図８の（Ａ）図に示すように、側面視でＵ字形の本体部142と、その両端縁を更に外側に折り曲げた押圧片145を有する形状の金具である。Ｕ字形の本体部142は２本のデッキ材103の間に挿入されるスペーサであり、押圧片145は両側のデッキの突起部を押える部材である。この固定金具140は本体部142の中央にネジ孔を形成しており、このネジ孔にビス150を通して大引き102にねじ込み固定する。この固定によって押圧片145はデッキ材103,103の突起部を押えて、大引き102にデッキ材103を固定することができる。
【０００４】
デッキの新築時には、このように固定することでよいのであるが、一部のデッキ材103を損傷や腐食によって交換するときは、前記固定金具140は使用できない。なぜなら、同（Ｂ）図に示すように、新たなデッキ材103を設置したあと、固定金具140を２本のデッキ材間の隙間に端から挿入することになるが、このとき、固定金具140の本体部142は大引き102の上面に付いているので、ネジ孔にビス150を差し込むことはできない。無理にネジ孔にビス150を通そうとしても先だけが嵌るので、２本のデッキ材103の隙間をドライバー等で押して大引き102上まで案内する間に倒れてしまう。もちろん、２本のデッキ材103間の上方の隙間はビスの頭より小さく形成されているので、固定金具140を挿入したあと、ビスを上方から差し込むこともできない。
つまり、特許文献１の固定金具は新築時に使用することを前提とした金具であり、デッキ材の交換時に使用することを考慮していないのである。
【０００５】
特許文献２の固定金具200は、図９の（Ａ）図に示すように、Ｕ字状の本体部204と外曲げした押圧片240を有する点は特許文献１と同じであるが、さらに本体部204の底板を長くし、延長片204ｃを設けて長孔をあけ、ボルト206を通した状態でスライドさせるようにしている。
一方、デッキ材203は、同図（Ｂ）に示すように、その突状縁部に切り欠き203bが形成しておかれる。デッキ材203を取り替えるときは、固定金具200を大引き205に仮固定したあと、新たに交換すべきデッキ材203を大引き205上に置き、このとき固定金具200の押圧片240を切欠き203bに通す。そして、同図（Ａ）図に示すように、固定金具200をドライバーを当ててハンマーで叩いてスライドさせると、押圧片240がデッキ材203の突状縁部に接触する位置まで進んで、デッキ材203を大引き205上に固定できることになる。
このように、特許文献２の技術では、交換したデッキ材205の固定を行えるのであるが、デッキ材203に切り欠き加工が必要であり、固定金具200も延長片204cが必要な複雑な形状となって、製造コストの高いものとなる。また、固定金具200のスライド動作は仮固定した後で行うため、スライド抵抗が大きく、作業性が容易でない、という難点がある。
【０００６】
【特許文献１】特開２００４−２７７２４号
【特許文献２】特開２００４−１６９５２８号
【発明の開示】
【発明が解決しようとする課題】
【０００７】
本発明は上記事情に鑑み、デッキにおけるデッキ材の交換後の固定が可能なデッキ材固定金具を提供することを目的とする。また、本発明はデッキ材の固定を容易に行えるデッキ材固定方法を提供することを目的とする。
【課題を解決するための手段】
【０００８】
第１発明のデッキ材固定金具は、並列に置かれたデッキ材を大引き上に固定する固定金具であって、隣設するデッキ材の間の隙間に嵌る本体部と、該本体部の両端から左右に延びて、前記隣設するデッキ材の突状縁部を押える押圧片と、前記本体部の下面両端部から下方に延びて前記大引きの上面に当接する左右一対の脚部とからなり、前記本体部、前記押圧片および前記脚部は、一体成形部材であり、前記脚部の下端から前記押圧片の下面までの高さは、前記デッキ材の突状縁部の高さより小さい寸法であり、前記本体部において、前記左右一対の脚部で挟まれる位置に止めビスを挿入するビス孔が形成されており、かつ前記ビス孔の内径は、前記止めビスの外径よりも小さいことを特徴とする。
第２発明のデッキ材固定方法は、並列に置かれて固定されているデッキ材の固定方法であって、任意のデッキ材を取り外したあと新しいデッキ材を元の位置に置き、請求項１の固定金具のビス孔にビスを挿入して、ビスを挿入した状態の固定金具を隣り合う２本のデッキ材の隙間に横から挿入し、かつ前記隙間の中をスライドさせて固定位置まで移動させ、ついで前記ビスを大引き上にねじ込むことを特徴とする。
【発明の効果】
【０００９】
第１発明によれば、つぎの効果を奏する。
ａ）本体部の下に脚部があって本体部が大引きの上面より高い位置にあるため、本体部のビス孔にビスを差し込める。このため、２本のデッキ材の隙間を固定金具にビスを取付けた状態でスライドさせて大引き上まで移動させることができ、新築後のデッキ材交換後においても使用することができる。
ｂ）ビス孔がビスよりも小さいため、ビスをビス孔に押し込むとビスはしっかりとビス孔で保持される。このため、２本のデッキ材の間の隙間をドライバー等で押してスライドさせるとき、ビスが倒れないので、固定金具の固定位置までの移動が確実に行える。
ｃ）固定金具でデッキ材を固定したとき、本体部の両端から左右に延びる押圧片は隣り合うデッキ材の両突状縁部を押えており、本体部の下面に形成されている両側のデッキ材の突状縁部同士の間に入ってスペーサとして機能する。
ｄ）押圧片の下面の高さは、デッキ材の突状縁部の高さより小さい寸法なので、固定時には押圧片が若干撓んで、その弾力によりデッキ材をしっかりと固定することができる。
第２発明によれば、固定金具に差し込んだビスが倒れないまま、固定位置まで移動させることができるので、デッキ材の交換後の固定を容易かつ迅速に行える。
【発明を実施するための最良の形態】
【００１０】
つぎに、本発明の実施形態を図面に基づき説明する。
本発明の固定金具を説明する前に、その固定金具で固定されるべきデッキ材とデッキを図４に基づき説明する。
同図に示すように、束柱６１で大引き６０を支持し、大引き６０の上面に複数本のデッキ材５０を並列に設置して、固定金具Ａ，Ｂで固定する構造は、従来例と特に変ることはない。
なお、固定金具Ａは本発明による取替用の金具であり、固定金具Ｂは新築用の金具であるが、全ての金具を本発明の取替用の金具を用いてもよい。
【００１１】
デッキ材５０の構成を、新築時用の固定金具Ｂと併せて説明すると、以下のとおりである。
図６に示すデッキ材５０は木粉を配合した合成樹脂製の押出形材であって、一般的に幅Ｗが140〜180mm、高さＨが３０〜５０mm、長さが1000〜3000mm位の長尺部材である。
断面形状は天板５１と底板５２と側板５３からなる略長四角形であり、内部には適数本のリブが入っている。両端部の側板５３は、固定金具Ａ，Ｂを取付けるため、次のような形に形成されている。
【００１２】
高さ方向の中間部分から下方は、幅方向の内側に凹んでおり、底板５２は、外側に突出している。その突出量は側板５３の外端より短い。そして、底板５２の外端縁の上面には
三角形状の突起が一体的に形成されている。この突起が形成されている底板部分は固定金具Ａ，Ｂの押圧を受ける部分で、突起は固定金具Ａ，Ｂの外れ止めを兼ねている。この押圧を受ける縁部を突状縁部５４という。
前記突状縁部５４の最大高さｈ４は、例えば、8.5mm、その内側の低い段部の高さｈ５は、例えば7.0 mm位に成形される。なお、この寸法は例示であって、これに制限されるものではない。
隣り合うデッキ材５０，５０同士の上端部間の隙間ｄは、ビス止め作業に使うドライバーの軸が入る程度であって、ビスの頭が抜けない寸法となっている。例えば６mm程度である。
【００１３】
なお、新築時に使用する固定金具Ｂの構造を図５に基づき説明すると、つぎのとおりである。
本体部１０は底板１１と２枚の側板１２とからなるＵ字形の部材である。その中央にはビス孔１５が形成されている。このビス孔１５の内径は、用いるビスの外径より少し大きくされている。例えば、ビス外径が４mmとすると、ビス孔内径は4.2mmとされる。
前記本体部１０の２枚の側板１２の上端からは左右に押圧片１３，１３が延びている。そして、各押圧片１３，１３の先端部分は側面視でＶ字型に折り曲げられている。このように折り曲げられた押圧片１３の下端と底板１１との間の高さｈ３は、デッキ材５０の突状縁部５４の段差部ｈ５の高さよりも短くされている。
【００１４】
図６は、この固定金具Ｂで、デッキ材５０を固定した状態を示している。同図に示すように、隣り合うデッキ材５０の間の隙間に固定金具Ｂを入れた状態で、ビス１８で固定金具Ｂを大引き６０上にネジ止めすると、押圧片１３はデッキ材５０の突状縁部５４を強く押え付けることができる。
大引き６０へのデッキ材５０の取付けは、図６（Ｂ）において右側のデッキ材５０から順次固定する。先ず、右側に位置するデッキ材５０の突状縁部５４を、固定金具Ｂによって大引き６０上に固定する。次いで、左側に位置するデッキ材の突状縁部５４を、先程の大引き６０上に固定した固定金具Ｂの左側から差し込んで固定する。この時、固定金具Ｂは鋼材によって形成されているので、押圧片１３が弾性変形し、デッキ材５０の突状縁部５４の三角形状の突起を乗り越えて係合する。以下この作業を繰り返し、デッキ材５０が並列される。
【００１５】
つぎに、本発明の固定金具Ａを図１に基づき説明する。
本発明の固定金具Ａは、新築時用にも使えるが、デッキ取替後の取付用に特に好適なものである。その基本構成は、本体部１と押圧片３と脚部４からなり、アルミニウム製押出形材によって一体成形されている。
【００１６】
前記本体部１は、大引き上に設置された２本のデッキ材５０間の隙間を埋めるスペーサとしても機能する板状部材である。
そして、本体部１の中央には、止ビスを通すビス孔５が形成されている。このビス孔５はネジ溝が形成されていない孔であるが、その内径は用いるビスの外径より、やや小さいものとなっている。例えば、ビスの外径が４mmとすると3.8 mm程度が好適である。また、用いる止ビスは固定金具Ａより硬い金属が用いられる。このような寸法差と硬度差があれば、ビス孔５に後述するビスを少し強く差し込んだとき、しっかりとビスがビス孔５で保持されて、倒れないようにできるので、後述するデッキ材取替時に作業を容易にすることができる。
【００１７】
前記押圧片３，３は前記本体部１の両端から、少し立ち上がって左右に延びている。なお、立上りは無くてもよい。また、この押圧片３，３の先端は下向きに曲がった先端爪３ａを有しているが、曲げない形状であってもよい。
前記脚部４は前記本体部１の下面に形成されている。その形状は、本体部１のビス孔５へのビスの差し込みを許容し、かつ本体部１を高く支持できるものであればよい。図示の脚部４は、左右一対のＬ形部材で構成されている。
【００１８】
前記固定金具Ａにおける押圧片３の脚部４の下端からの高さ寸法は、つぎのとおりである。
押圧片３の先端爪３ａより内側にある平坦部の下面の高さｈ１は、例えば8.2mmであり、デッキ材５０の突状縁部５４の突起部の高さｈ４（8.5mm）より、わずかに低い高さ寸法である。押圧片３の先端爪３ａの下面の高さｈ２は、例えば7.0mmであり、デッキ材５０の突状縁部５４の平坦部と同じ高さｈ５である。
【００１９】
図２は前記固定金具Ａでデッキ材５０を固定した状態を示している。
同図に示すように、本体部１のビス孔に止ビス８を通し、止ビス８を大引き６０に予め形成されている雌ネジ孔にねじ込むと、固定金具Ａによりデッキ材５０を大引き６０上に固定することができる。この場合、脚部４は隣り合う２本のデッキ材５０，５０の位置決めを行うスペーサとして機能する。押圧片３，３は両側のデッキ材５０，５０の突状縁部５４，５４を押し付ける。とくに、突状縁部５４の突起高さｈ４（図６参照）は、押圧片３の高さｈ１（図１参照）よりわずかに高いので、押圧片３は若干たわみを生じさせて、たわみにより生じた弾力がデッキ材５０を不動状態にしっかりと固定することができる。
【００２０】
つぎに、本発明におけるデッキ材の固定方法を説明する。
図４に示すデッキにおいて、符号５０は交換を要せず、そのまま使用するデッキ材である。いま、中央付近の１本のデッキ材50aが損傷や腐食により使用不能になったとすると、そのデッキ材50aの両側の新築時に取付けていた固定金具Ｂを取り外す。この作業は図６に示す上方の隙間ｄからドライバーを差し込むことで容易に行える。
止めネジを外したデッキ材50aはそのまま上方へ引き抜くことができ、この古いデッキ材を符号50aで示す。
ついで、新しいデッキ材50bを元の取付位置へ挿入する。この新しいデッキ材を符号50bで示す。
【００２１】
つぎに、本発明の固定金具Ａで取付作業をするが、この要領を図３に基づき説明する。
Ｉ：固定金具Ａに止ビス８をねじ込む。
このとき止ビス８はビス孔５が少し広がることによって、しっかり保持される。
そして、２本のデッキ材５０，50bの間の隙間に横から矢印ａで示すように挿入する。
II：隙間に入った固定金具Ａは、上方から隙間に差し込んだドライバーＤで、矢印ｂで示す奥方向へ押していく。このとき、ドライバーＤは止ビス８を押してもよく、固定金具Ａの本体部１を押してもよい。
【００２２】
III：大引き６０の上方まで押して、予め形成されている雌ネジ孔60hに合う位置まで来ると、移動を止めドライバーＤを引き上げる。
IV：つぎに、同じドライバーＤを止ビス８の頭に当てて、ねじ込み方向（矢印ｃ）に回すと、止ビス８は大引き６０の雌ネジ孔60hにねじ込まれていき、ねじ込みが完了すると、固定金具Ａによってデッキ材50b，５０が大引き６０上に固定される。
【００２３】
以上のように、本実施形態の固定金具Ａと固定方法によれば、脚部４が本体部１に差し込んだ止ビス８を倒れないようにすることができるので、固定金具Ａを２本のデッキ材５０，50bの間でスライドさせて大引き６０上まで移動させることができ、交換後の新しいデッキ材50bを容易に固定することができる。
【図面の簡単な説明】
【００２４】
【図１】本発明の一実施形態に係る固定金具を示し、（Ａ）図は平面図、（Ｂ）図は正面図、（Ｃ）図は側面図である。
【図２】本発明の固定金具Ａの使用状態説明図である。
【図３】本発明のデッキ材固定方法の説明図である。
【図４】デッキの説明図であって、（Ａ）図は正面図、（Ｂ）図は一部平面図である。
【図５】新築時用固定金具Ｂの一例を示し、（Ａ）図は平面図、（Ｂ）図は正面図である。
【図６】新築時のデッキ材取付状態を示し、（Ａ）図は一部平面図、（Ｂ）図は一部正面図である。
【図７】デッキの一般的構造を示す斜視図である。
【図８】従来例１の固定金具の説明図である。
【図９】従来例２の固定金具の説明図である。
【符号の説明】
【００２５】
Ａ      固定金具
１      本体部
３      押圧片
４      脚部
８      止ビス
５０    デッキ材
６０    大引き
【図１】
0004675978.tif 000002
【図２】
0004675978.tif 000003
【図３】
0004675978.tif 000004
【図４】
0004675978.tif 000005
【図５】
0004675978.tif 000006
【図６】
0004675978.tif 000007
【図７】
0004675978.tif 000008
【図８】
0004675978.tif 000009
【図９】
0004675978.tif 000010